(57)【要約】【課題】  オーディオ機器に供給するAC電源の伝送状況や負荷が増すことによって、機器内でもAC波形が痩せる現象が生じ、最大値と実効値の差を増し、機器内で変圧、整流、平滑を経てもリップルや電圧変動を増す要因となる。  コイルを通過する際、電圧低下が生じにくく、ノイズを含めた過渡的波形が入力されても緩やかな波形を保つことにより、音質向上が実感できて、簡単、安全に機器に接続できる回路を課題とする。【解決手段】  AC電源と機器の間に相互インダクタンス回路を直列接続することで、波形の最大値に達するまではインダクタンスを働きにくくし、最大値付近からはインダクタンスを働きやすくすることによって、瞬時最大値の発生と最大値低下を抑え下降しにくい特性を得る。  相互インダクタンスのコイル巻き数比および回路抵抗調整によって、波形の立ち上がりが速く、下降を遅らせる特性を得る。【選択図】図１
2016219621.tif 000002
【特許請求の範囲】
【請求項１】
目的の特性を求める許容範囲とするトランス仕様を選択することにおける二つのコイル端子の結線回路による相互インダクタンスを調整することによって、入力されるAC波形の立ち上がりが速い特性を求めるこによって実効値電圧低下を許容範囲に抑えると共に、最大値の頂部および下降が緩やかな特性を可能とするオーディオ用AC電源の相互インダクタンス回路。
【請求項２】
複巻きコイル巻き数比10:3程度のコイル同極並列結線回路の結線部の抵抗調整によって目的の特性を得る請求項１記載のオーディオ用AC電源の相互インダクタンス回路。
【請求項３】
単巻きトランスにおける中間端子両側のコイル巻き数比10:1.4程度の少ない巻き回数のコイル端子を結線する抵抗調整によって目的の特性を得る請求項１記載のオーディオ用AC電源の相互インダクタンス回路。
【請求項４】
単巻きトランスにおける中間端子両側のコイル巻き数比1:1程度の中間端子の両側端子を結線する抵抗調整によって目的の特性を得る請求項１記載のオーディオ用AC電源の相互インダクタンス回路。
【発明の詳細な説明】
【技術分野】
【０００１】
本発明は、オーディオ機器に供給するAC電源の相互インダクタンス回路であり、単巻きまたは複巻きトランス端子の結線回路によって、オーディオ機器の音質向上に効果的なAC電力供給に関する。
【背景技術】
【０００２】
一般のオーディオ機器に供給する電源における音質向上対策としてアイソレーショントランス、チョークコイル、ノイズフィルターなどのを接続する対策がある。
【発明の概要】
【発明が解決しようとする課題】
【０００３】
AC電源の無負荷の波形に比べ、負荷を増すほど正弦波の歪みとして弓状の波形が痩せる現象が生じ、最大値と実効値の差が広がり、機器内で変圧、整流、平滑を経てもリップルや電圧変動を増す要因となる。
電源からのノーマルモードノイズも含めた瞬時最大値電圧も変動の要因である。
実効値電圧低下が生じにくいように、AC波形の痩せを補うような特性が必要と考える。
【０００４】
アイソレーショントランス、ノイズフィルターや平滑回路におけるチョークコイル、電解コンデンサーなど標準以上の効力を得るには著しいコストアップとなり、汎用性が低い佇まいになりやすい。
低コストで、小型、小電力損失、安全、汎用性が良く、簡単に機器に接続して音質向上の要素をもたらすことを課題とする。
【課題を解決するための手段】
【０００５】
ACコンセントとオーディオ機器の間に、本発明の相互インダクタンス回路が直列接続によって、機器の電源OFF時で電流がないときは電力消費は０である。
【０００６】
交流波形の最大値である頂点を含む弓状（峰）が緩やかな波形にすることによって、1/2サイクルの弓内面積を増すとともに最大値と実効値が近づけられ、変圧、整流後でもリップルを少なくする効果を得る。
【０００７】
AC電流がコイルを通過するとき、波形の1/4サイクル最大値に達するまではインダクタンスを働きにくくすることで速く最大値に達し易くし、最大値付近からはインダクタンスを働きやすくすることによって、最大値が下降しにくくする相互インダクタンスを目的とする。
【０００８】
電圧低下が生じにくいように一つのコイル巻き数を最小限に止め、その磁場の結合するもう一つのコイルにおいて、巻き回数比やコイル端子の結線回路による相互インダクタンスを調整することにより、波形の初期立ち上がりが速く、下降を抑える。
そのような性質を観測しやすい波形として、電源周波数の50Hz〜60Hzの最大値と実効値が等しい方形波を入力して観測する。
【０００９】
コイル巻き数比の選択と結線回路の抵抗の調整により、方形波をほぼ維持できる立ち上がりの速さを得ることと、立ち上がりが鋭角状にならず、スバイクノイズを通過誘発する要因が生じにくい緩やかな特性を得る。
そして通常、方形波出力は負荷が生じる場合、立ち上がり初期が最高値で下降（サグ）が生じるものであるが調整により下降を減らすか上昇となる特性を求める。
【００１０】
コイルは既存の複巻きトランスまたは単巻きトランスが選択できる。
複巻きトランスの一例では、巻き数比10:3程度の同じ巻き方向の同極同士を結線し、結線部の抵抗によって特性を調整する。
【００１１】
単巻きトランスでは、中間端子両側の巻き回数比10:1〜5:1程度の少ない巻き数のコイルを短絡結線またはその抵抗を調整する。
または、中間端子両側の巻き数比1:1程度の両側コイルを結線する抵抗によって特性を調整する。
【発明の効果】
【００１２】
相互インダクタンスにおける巻き数比の選択や、結線回路の抵抗による調整によって、実効値電圧低下となりにくい速い立ち上がり特性と、最大値のAC波形頂部および下降を緩やかな特性を得ることによって、波形半サイクルの弓状内面積を増し、変圧、整流を経ても平滑電解コンデンサーへの充電時間増につながり、ノイズやリップルの減少効果を可能とし、高音質化の要素となる。
【図面の簡単な説明】
【００１３】
【図１】複巻きトランスでの回路図
【図２】単巻きトランスでの片方のコイル端子間結線での回路図
【図３】単巻きトランスのコイル両側端子間結線での回路図
【図４】方形波入力による変化を示す観測波形
【図５】正弦波波入力側の観測波形
【図６】相互インダクタンス回路通過後の観測波形
【発明を実施するための形態】
【００１４】
AC電源とオーディオ機器の間に本発明の相互インダクタンス回路を直列の中継機器として使用する。また、機器内で変圧後の整流手前の交流にも直列に対応できる。
【００１５】
AC100V電流がコイル通過での電圧低下を抑えるために、一つのコイル巻き数をなるべく少なくし、もう一つのコイル巻き数による相互インダクタンスによる作用で、許容する電圧低下に抑えることと、出力波形の時間軸での電圧下降を抑える目的である。
それを見極める波形観測において、正弦波では変化傾向がつかみにくいため、電源周波数の方形波を入力することで半サイクルにおける初期立ち上がりの速さと、最高値からの傾斜の様子で判断しやすい。
【００１６】
コイルは既存の複巻きトランスと単巻きトランスが選択できる。
巻き数比の選択において、100V,100W負荷で電圧低下2.5V以内を考慮した。
複巻きトランスの実施では、巻き数比10:3程度のコイルの同じ巻き方向の同極同士を結線（和動接続）し、結線部の抵抗によって特性を調整する。
【００１７】
単巻きトランスの実施では、中間端子両側の巻き回数比10:1程度の片方の少ない巻き数のコイルを短絡結線またはその抵抗を調整する。
【００１８】
または、巻き数比1:1程度において、中間端子の両側コイルを結線する抵抗によって特性を調整する。これは、上記の複巻きトランスでの結線を反転（差動接続）しても同様である。
【００１９】
調整の抵抗器の発熱損失を抑えるには、抵抗値をなるべく低くできるようにコイル巻き数比の調整で方形波の下降を抑えることが好ましい。
【実施例】
【００２０】
一般のコンポーネントオーディオにおけるアンプとCDプレーヤーで100W供給時に電圧低下2.5%以内を求める。
【００２１】
実施例1では、図1に示す既存のAC100V用複巻き電源トランス1を選択した。
表示定格3A,一次端子電圧表示100V-110V,二次端子電圧表示0V-3.15Vの端子を有する。寸法約5立方センチメートルであるが電源トランスを利用しているため不使用なコイルも含まれるサイズとなり、一次コイル線径は二次と同径でもよい。
【００２２】
結線は、表示されている一次100V端子と二次0V端子を配線2で結線し、一次110V端子と二次3.15V端子を配線3で結線し、その抵抗値（R1）の調整によって方形波の下降特性に反映する。
この3.15Vは、実験により表示3V以下の巻き数のトランスでは、方形波の下降を抑えにくいことと、5V以上の巻き数になると実効値電圧低下2.5%以内となりにくい。
【００２３】
図4は、波形観測による変化が見やすい方形波（B）をアンプから入力したもので、出力の負荷抵抗RLを10Ωとし、結線部のR1抵抗値調整12Ωにより下降を抑えた出力波形（A）を得られた。
【００２４】
図5は、正弦波をアンプから入力した波形であり、図6は、相互インダクタンス回路通過後の波形であり、弓状が緩やかな傾向になることが見られる。
【００２５】
図1のAC100V入力で、負荷100W時の電圧低下は、2.4Vに抑えられ、負荷1000Wでは、電圧低下7Vに止まる。
【００２６】
負荷RLにおいて、変圧、整流、コンデンサー平滑回路を経た負荷100Wの状況において、図1の回路をAC100Vラインに接続しないときより、リップル低減が10%見込まれる。
【００２７】
実施例2は単巻きトランスを用いる。
図（2）に示す既存の単巻きトランス4（用途ローパスコイル）の中間端子で分けるコイル巻き数比10:1.4程度であり、端子表示はCOM、18mH、22mHにおいて、18mH端子と22mH端子を配線5によって短絡結線、または結線部のR2抵抗値により調整可能であるが1/100Ωの範囲になり得るため、抵抗器ではなく配線コード5の長さ調整でも良く、コイル状に巻くことによる変化も有効にできる。
【００２８】
実施例3も単巻きトランス6の回路であるが、複巻きトランスの中間端子の有る二次コイル巻き数比1:1程度を単巻きコイルとして用いた。
中間端子の両側コイルを結線する配線7のR3抵抗値調整8Ωによって特性を有効にできた。
【符号の説明】
【００２９】
1, 4, 6  トランス
2, 3, 5, 7配線
【図１】
2016219621.tif 000003
【図２】
2016219621.tif 000004
【図３】
2016219621.tif 000005
【図４】
2016219621.tif 000006
【図５】
2016219621.tif 000007
【図６】
2016219621.tif 000008